(57)【要約】【課題】自動吐水状態と手動吐水状態などの複数の吐水制御状態をより確実且つ容易に識別することを可能にした自動水栓を提供する。【解決手段】吐水口１ａを備えた吐水部１と、吐水口１ａよりも下方の検知領域内の物体を検知する検知センサ部２と、検知センサ部２からの検知信号に基づいて吐水と止水を自動制御するための制御部２７と、吐水口１ａからの吐水と止水を手動で切替操作するための手動操作部３とを備える。これに加え、検知センサ部２が検知領域内の物体を検知するとともに自動的に吐水する自動吐水状態、及び手動操作部の操作によって吐水する手動吐水状態を少なくとも含む複数の吐水制御状態をそれぞれ識別可能に表示する１つの表示部２６を吐水部１に備える。【選択図】図２
2015105514.tif 000002
【特許請求の範囲】
【請求項１】
吐水口を備えた吐水部と、
前記吐水口よりも下方の検知領域内の物体を検知する検知センサ部と、
前記検知センサ部からの検知信号に基づいて吐水と止水を自動制御するための制御部と、
前記吐水口からの吐水と止水を手動で切替操作するための手動操作部とを備え、
前記検知センサ部が検知領域内の物体を検知するとともに自動的に吐水する自動吐水状態、及び前記手動操作部の操作によって吐水する手動吐水状態を少なくとも含む複数の吐水制御状態をそれぞれ識別可能に表示する１つの表示部を前記吐水部に備えていることを特徴とする自動水栓。
【請求項２】
請求項１記載の自動水栓において、
前記表示部が前記自動吐水状態と前記手動吐水状態を光の点灯と明滅によって識別可能に表示するように構成されていることを特徴とする自動水栓。
【請求項３】
請求項１または請求項２に記載の自動水栓において、
給水路及び給湯路が繋がる水栓本体部と、
前記吐水口に繋がる吐水路と、
前記吐水路に繋がり、前記手動操作部の操作によって前記水栓本体部から前記吐水部に給水する手動吐水流路と、
前記吐水路に繋がり、前記検知センサ部が検知領域内の物体を検知した際に前記水栓本体部から前記吐水部に給水する自動吐水流路と、
前記吐水路に設けられ、前記吐水口から吐出される前の吐水の温度を検知する温度検知手段と、
前記自動吐水流路に設けられ、前記自動吐水流路を開閉する開閉弁とを備えており、
前記温度検知手段によって検知された吐水温度が予め設定した閾値以上である場合に、前記制御部に制御され、前記自動吐水流路の開閉弁を閉じ高温吐水制限状態にするとともに、前記表示部によって吐水制御状態が高温吐水制限状態であることを識別可能に表示するように構成されていることを特徴とする自動水栓。
【請求項４】
請求項１から請求項３のいずれか一項に記載の自動水栓において、
前記吐水口に繋がる吐水路と、
前記吐水路に繋がり、前記手動操作部の操作によって前記吐水部に給水する手動吐水流路と、
前記吐水路に繋がり、前記検知センサ部が検知領域内の物体を検知した際に前記吐水部に給水する自動吐水流路と、
前記手動吐水流路内での吐水の流れを検知する流動検知手段と、
前記自動吐水流路に設けられ、前記自動吐水流路を開閉する開閉弁とを備えており、
前記流動検知手段によって前記手動吐水流路内での吐水の流れが検知されず、且つ前記検知センサ部が検知領域内の物体を検知されると、前記検知センサ部からの検知信号を受けた前記制御部の制御によって、前記自動吐水流路の開閉弁が開かれ自動的に吐水する自動吐水状態となり、
前記手動操作部を操作して手動吐水を行い、前記手動吐水流路内での吐水の流れが前記流動検知手段で検知されると、前記流動検知手段からの検知信号を受けた前記制御部の制御によって、前記自動吐水流路の開閉弁が閉じられ手動吐水状態となり、
前記自動吐水状態と前記手動吐水状態を制御する前記制御部によって、前記表示部が前記自動吐水状態と手動吐水状態の吐水制御状態をそれぞれ識別可能に表示するように制御されていることを特徴とする自動水栓。
【発明の詳細な説明】
【技術分野】
【０００１】
本発明は、自動水栓に関する。
【背景技術】
【０００２】
従来、赤外線センサや光電センサ、電波センサなどの検知センサ（検知センサ部）で手などの物体を検知すると自動的に吐水し、検知センサによる検知領域内から物体が外れると自動的に止水するように構成した自動水栓（自動水栓装置）がキッチンカウンターや、トイレ、洗面所の洗面化粧台などに多用されている。
【０００３】
また、この種の自動水栓には、手動スイッチ（マニュアルスイッチ）で自動水栓と手動水栓を切り替え、例えば水汲みや洗い物を行う場合など、長時間吐水を続けたい場合に、手動操作レバー等を操作することで手動水栓として使用できるように構成したものもある。
【０００４】
一方で、手動水栓で使用しているにもかかわらず、使用者が自動水栓であると勘違いし、止水操作を行わないことで水が出しっぱなしになってしまうおそれがある。
【０００５】
これに対し、手動水栓で使用しているにもかかわらず、使用者が自動水栓であると勘違いし、止水操作を忘れることを防止するために、自動水栓での吐水時に点灯、すなわち自動吐水状態で点灯する自動吐水ランプ（自動吐水用表示部）と、手動水栓での吐水時に点灯、すなわち手動吐水状態で点灯する手動吐水ランプ（手動吐水用表示部）の２つの表示部を備えて構成した自動水栓がある（例えば、特許文献１参照）。
【０００６】
この自動水栓においては、自動吐水ランプと手動吐水ランプの色を変えるなどして吐水の状態が自動吐水状態であるか、手動吐水状態であるかが明示されるため、自動吐水ランプと手動吐水ランプの点灯状態によって、使用者に自動吐水で使用している状態か、手動吐水で使用している状態か、その吐水状態を識別（判別、認識）させることができる。
【先行技術文献】
【特許文献】
【０００７】
【特許文献１】特許第２７５１８０８号公報
【発明の概要】
【発明が解決しようとする課題】
【０００８】
しかしながら、例えばミラーキャビネットなど、水が吐出される吐水口を備えた吐水部とは異なる部位に自動吐水ランプと手動吐水ランプ（２つの表示部）が設けられている場合もあり、このような場合には、自動吐水ランプと手動吐水ランプが吐水口側を見ている使用者の視界から外れ、すなわち自動吐水ランプと手動吐水ランプの視認性が悪く、やはり使用者が手動水栓で使用しているにもかかわらず自動水栓であると勘違いして、止水操作を忘れてしまうおそれがある。
【０００９】
一方、上記の特許文献１に開示されるように、吐水口を有する吐水部に自動吐水ランプと手動吐水ランプを設けることで、自動吐水ランプと手動吐水ランプの視認性を高めることができる。しかしながら、この場合においても、自動吐水ランプと手動吐水ランプの２つの表示部がそれぞれ個別に自動吐水状態と手動吐水状態を表示するため、使用者によって自動吐水状態と手動吐水状態を識別（判別、認識）することが複雑で、やはり使用者が手動水栓で使用しているにもかかわらず自動水栓であると勘違いして、止水操作を忘れてしまうおそれがある。
【００１０】
本発明は、上記事情に鑑み、自動吐水状態と手動吐水状態などの複数の吐水制御状態をより確実且つ容易に識別することを可能にした自動水栓を提供することを目的とする。
【課題を解決するための手段】
【００１１】
上記の目的を達するために、この発明は以下の手段を提供している。
【００１２】
本発明の自動水栓は、吐水口を備えた吐水部と、前記吐水口よりも下方の検知領域内の物体を検知する検知センサ部と、前記検知センサ部からの検知信号に基づいて吐水と止水を自動制御するための制御部と、前記吐水口からの吐水と止水を手動で切替操作するための手動操作部とを備え、前記検知センサ部が検知領域内の物体を検知するとともに自動的に吐水する自動吐水状態、及び前記手動操作部の操作によって吐水する手動吐水状態を少なくとも含む複数の吐水制御状態をそれぞれ識別可能に表示する１つの表示部を前記吐水部に備えていることを特徴とする。
【００１３】
また、本発明の自動水栓においては、前記表示部が前記自動吐水状態と前記手動吐水状態を光の点灯と明滅によって識別可能に表示するように構成されていることが望ましい。
【００１４】
さらに、本発明の自動水栓においては、給水路及び給湯路が繋がる水栓本体部と、前記吐水口に繋がる吐水路と、前記吐水路に繋がり、前記手動操作部の操作によって前記水栓本体部から前記吐水部に給水する手動吐水流路と、前記吐水路に繋がり、前記検知センサ部が検知領域内の物体を検知した際に前記水栓本体部から前記吐水部に給水する自動吐水流路と、前記吐水路に設けられ、前記吐水口から吐出される前の吐水の温度を検知する温度検知手段と、前記自動吐水流路に設けられ、前記自動吐水流路を開閉する開閉弁とを備えており、前記温度検知手段によって検知された吐水温度が予め設定した閾値以上である場合に、前記制御部に制御され、前記自動吐水流路の開閉弁を閉じ高温吐水制限状態にするとともに、前記表示部によって吐水制御状態が高温吐水制限状態であることを識別可能に表示するように構成されていることがより望ましい。
【００１５】
また、本発明の自動水栓においては、前記吐水口に繋がる吐水路と、前記吐水路に繋がり、前記手動操作部の操作によって前記吐水部に給水する手動吐水流路と、前記吐水路に繋がり、前記検知センサ部が検知領域内の物体を検知した際に前記吐水部に給水する自動吐水流路と、前記手動吐水流路内での吐水の流れを検知する流動検知手段と、前記自動吐水流路に設けられ、前記自動吐水流路を開閉する開閉弁とを備えており、前記流動検知手段によって前記手動吐水流路内での吐水の流れが検知されず、且つ前記検知センサ部が検知領域内の物体を検知されると、前記検知センサ部からの検知信号を受けた前記制御部の制御によって、前記自動吐水流路の開閉弁が開かれ自動的に吐水する自動吐水状態となり、前記手動操作部を操作して手動吐水を行い、前記手動吐水流路内での吐水の流れが前記流動検知手段で検知されると、前記流動検知手段からの検知信号を受けた前記制御部の制御によって、前記自動吐水流路の開閉弁が閉じられ手動吐水状態となり、前記自動吐水状態と前記手動吐水状態を制御する前記制御部によって、前記表示部が前記自動吐水状態と手動吐水状態の吐水制御状態をそれぞれ識別可能に表示するように制御されていることがさらに望ましい。
【発明の効果】
【００１６】
本発明の自動水栓においては、使用者が最も視認しやすい吐水部に、少なくとも手動吐水状態と自動吐水状態を含む複数の吐水制御状態をそれぞれ異なる表示形態で識別可能に表示する単一の表示部がある。これにより、使用者は、各吐水制御状態を容易に且つ確実に識別（判別、認識）することができ、確実に手動吐水状態での止め忘れを防止することが可能になる。
【００１７】
また、本発明の自動水栓においては、例えば、自動吐水状態のときに表示部で光が点灯し、手動吐水状態のときに表示部で光が明滅するように構成することで、使用者が自動吐水状態と手動吐水状態をより確実且つ容易に識別することが可能になる。これにより、より確実に手動吐水状態での止め忘れを防止することが可能になる。
【００１８】
さらに、本発明の自動水栓においては、温度検知手段によって検知された吐水温度が予め設定した閾値以上である場合に、制御部に制御され、自動吐水流路の開閉弁を閉じ高温吐水制限状態にし、表示部によって吐水制御状態が高温吐水制限状態であることを例えば赤色に光るなどして識別可能に表示する。これにより、使用者が、高温で使用していたことを知らず、又は忘れてしまっていて、高温の吐水が吐水路や手動吐水流路、自動吐水流路に残っている場合であっても、表示部によって吐水制御状態が高温吐水制限状態であり、吐水が高温であるために吐水口から出ない状態に制御されていることを使用者に識別（判別、認識）させることができる。
【００１９】
さらに、本発明の自動水栓においては、流動検知手段によって手動吐水流路内での吐水の流れが検知されず、且つ検知センサ部が検知領域内の物体を検知される場合に、制御部の制御によって、自動吐水流路の開閉弁が開かれ自動的に吐水する自動吐水状態となり、手動操作部を操作して手動吐水を行い、手動吐水流路内での吐水の流れが流動検知手段で検知された場合に、制御部の制御によって、自動吐水流路の開閉弁が閉じられ手動吐水状態となる。
【００２０】
これにより、流動検知手段と開閉弁と制御部とによって、自動吐水状態と手動吐水状態のいずれの状態にあるかを判定することができ、この判定結果を基に、制御部によって表示部の表示を制御することで、確実に自動吐水状態と手動吐水状態の吐水制御状態をそれぞれ識別可能に表示部で表示させることが可能になる。
【００２１】
よって、本発明によれば、自動吐水状態と手動吐水状態などの複数の吐水制御状態をそれぞれ異なる表示形態で識別可能に単一の表示部で表示できるようにしたことで、従来と比較し、確実且つ容易に吐水制御状態を識別することが可能になり、使い勝手の良い自動水栓を実現することが可能になる。
【図面の簡単な説明】
【００２２】
【図１】本発明の一実施形態に係る自動水栓を示す斜視図である。
【図２】本発明の一実施形態に係る自動水栓を示す図である。
【図３】本発明の一実施形態に係る自動水栓の吐水部を示す斜め上側から見た図である。
【図４】本発明の一実施形態に係る自動水栓の吐水部を示す側面図である。
【図５】本発明の一実施形態に係る自動水栓の吐水部を示す正面下側から見た図である。
【図６】本発明の一実施形態に係る自動水栓の吐水部のヘッド部を引き出した状態を示す図である。
【図７】本発明の一実施形態に係る自動水栓の制御方法を示すフロー図である。
【図８】本発明の一実施形態に係る自動水栓の表示部で表示する「点滅」と「明滅」についての説明で用いた図である。
【図９】本発明の一実施形態に係る自動水栓の変更例を示す図である。
【発明を実施するための形態】
【００２３】
以下、図１から図９を参照し、本発明の一実施形態に係る自動水栓について説明する。
【００２４】
本実施形態の自動水栓Ａは、例えば図１に示すように、キッチンカウンターやトイレ、洗面所の洗面化粧台などに設置され、吐水部１の検知センサ２ａ（検知センサ部２）で手などの物体を検知すると自動的に吐水し、検知センサ２ａによる検知領域（検知範囲）内から物体が外れると自動的に止水するように構成された水栓装置である。
【００２５】
また、この自動水栓Ａは、例えば水汲みや洗い物を行う場合など、長時間吐水を続けたい場合に、手動操作レバー３ａ（手動操作部３）を操作すると、手動水栓としても使用できるように構成されている。
【００２６】
具体的に、本実施形態の自動水栓Ａは、図１及び図２に示すように、給水路４及び給湯路５（給水管及び給湯管）が繋がる水栓本体部６と、水栓本体部６の上部に設けられた手動操作部３と、吐水口１ａを有する吐水部１とが主な構成要素とされている。
【００２７】
水栓本体部６は、その内部に混合弁としての弁カートリッジ７を収容して構成されており、この弁カートリッジ７に対して水と湯をそれぞれ供給する給水路４と給湯路５が接続されている。
【００２８】
また、本実施形態の自動水栓Ａにおいては、吐水部１の吐水口１ａに繋がる吐水路（吐水管、水栓ホース）８が設けられ、この吐水路８と水栓本体部６の弁カートリッジ７が手動吐水流路（手動吐水管）９と自動吐水流路（自動吐水管）１０の２つの流路で接続されている。
【００２９】
さらに、手動操作部３は、水栓本体部６に対して上下方向に延びる回動軸周りに回動自在に、且つ傾動自在に接続されるとともに、この手動操作部３に従動させるように弁カートリッジ７に接続されている。また、シンクやボール側、使用者側の前方に向けて突出し、水栓本体部６の弁カートリッジ７を手動操作するための手動操作レバー３ａを備えている。そして、この手動操作レバー３ａを左右方向に移動させて手動操作部３を上下方向に延びる回動軸周りに回動させると、弁カートリッジ７が従動し、これに伴いその回動量に応じて給水と給湯の混合割合が変わり、手動吐水状態での吐水温度が調節される。また、手動操作レバー３ａを上下方向に移動させて手動操作部３を上下方向に傾動させると（引き上げ／引き下げ操作すると）、弁カートリッジ７が従動し、手動操作レバー３ａの移動量に応じて手動吐水状態における吐水量が調節される。
【００３０】
さらに、手動吐水流路９には、手動吐水流路９内の吐水の流れを検知するための流量センサなどの流動検知手段１１が設けられている。自動吐水流路１０には、自動吐水流路１０を開閉する電磁弁などの開閉弁１２が設けられている。吐水路８には、吐水路８内の吐水の温度を検知するサーミスタなどの温度検知手段１３が設けられている。
【００３１】
吐水部１は、図１から図５に示すように、例えばキッチンカウンターやトイレ、洗面所の洗面化粧台の天板などに基端１５ａを接続して突設された支持部１５と、支持部１５の先端１５ｂ側に設けられたヘッド部１６とを備えて構成されている。
【００３２】
本実施形態では、支持部１５が、基端１５ａから上方に向けて突出し、さらにシンクやボール側の前方に向けて延設されている。また、この支持部１５は、図４及び図６に示すように、先端１５ｂ側に、先端１５ｂ及び両側面に開口し、上面から下面側に向けて凹む係合凹部１７と、係合凹部１７によって下方部分に突出形成された係合凸部１８とを備えて形成されている。また、支持部１５の係合凸部１８は、下方に突出して形成されており、この下方に突出した係合凸部１８の内部に赤外線センサや光電センサ、電波センサなどの検知センサ２ａを収容して検知センサ部２が構成されている。
【００３３】
ヘッド部１６は、後端１６ａ側に、後端１６ａ及び両側面に開口し、下面から上面側に向けて凹む係合凹部１９と、係合凹部１９によって上方部分に突出形成された係合凸部２０とを備えて形成されている。また、このヘッド部１６は、係合凹部１９よりも先端１６ｂ側の下方に突出した部分の下面に吐水口１ａが形成されている。
【００３４】
そして、図４及び図６に示すように、互いの係合凹部１７、１９と係合凸部１８、２０を係合させることで、支持部１５の先端１５ｂ側にヘッド部１６が着脱可能に装着して保持される。このように支持部１５の先端１５ｂ側にヘッド部１６を着脱可能に装着して保持した状態で、支持部１５とヘッド部１６は、互いの上面同士、側面同士がほぼ滑らかに繋がり、また、下面同士も略同一平面上に配設される。
【００３５】
また、吐水路を形成する水栓ホース（吐水管）８が支持部１５の内部からヘッド部１６の内部に延設され、吐水口１ａに接続されている。そして、ヘッド部１６を支持部１５から外して引き出すと、フレキシブルな水栓ホース８も引き出されるように構成され、これにより、使用者がヘッド部１６を引き出し、吐水口１ａの向きなどを自在に変えながら使用することができる。
【００３６】
さらに、本実施形態では、図１から図５に示すように、吐水部１に、吐水口１ａから吐出される吐水の形態を例えば直流とシャワーに切り替えるための操作部２１が具備されている。この操作部２１は、吐水部１のヘッド部１６の外殻体２２の内部に収容された従来周知の切替機構を回動操作（図３の矢印Ｔ）して吐水の形態を切り替えるためのものである。
【００３７】
一方、本実施形態の自動水栓Ａの吐水部１は、検知センサ部２が、ヘッド部１６の吐水口１ａが形成された下面と略同一水平面上に配される支持部１５の係合凸部１８の下面に検知センサ面を配して設けられている。すなわち、検知センサ部２は、ヘッド部１６の吐水口１ａの後方に配設されるとともに、吐水口１ａよりも下方に検知領域を形成するように配設されている。
【００３８】
そして、本実施形態の自動水栓Ａにおいては、ヘッド部１６と、支持部１５に設けられた検知センサ部２とにより吐水部本体２５が構成されている。
【００３９】
また、本実施形態の自動水栓Ａの吐水部１は、支持部１５にヘッド部１６を保持させた状態で、ヘッド部１６の係合凸部２０の後端１６ａと支持部１５の係合凹部１７側の先端１５ｂとの間に配設されるとともに、支持部１５に一体に取り付けて配設された１つの表示部（単一の表示部）２６を備えて構成されている。
【００４０】
また、この表示部２６は、例えば、灯光カバーの内部に光源を収容して構成されている。さらに、本実施形態の表示部２６は、光源として複数のＬＥＤが用いられ、これら複数のＬＥＤを灯光カバーの内部に並べて収容し、支持部１５にヘッド部１６を保持させた状態で灯光カバーが支持部１５やヘッド部１６と互いの上面同士をほぼ滑らかに繋がるように配設されている。そして、赤色、緑色、青色の光が複数のＬＥＤによって選択的に発光（点灯、点滅、明滅）することで、自動水栓Ａの使用者に、表示部（灯光カバー）２６の発光色で自動吐水状態や手動吐水状態などの吐水制御状態および故障などの警告情報を認識させることができる。
【００４１】
また、本実施形態の自動水栓Ａは、図２に示すように、検知センサ部２と温度検知手段１３と流動検知手段１１と開閉弁１２と表示部２６とに接続され、検知センサ部２と温度検知手段１３と流動検知手段１１の検知結果（検知信号）に基づいて、開閉弁１２の開閉駆動や表示部２６による表示形態を制御する制御部２７を備えている。また、制御部２７には、吐水制御状態を判定するための判定部が具備されている。
【００４２】
次に、上記構成からなる本実施形態の自動水栓Ａの作用及び効果について説明する。
【００４３】
本実施形態の自動水栓Ａにおいては、図２及び図７に示すように、まず、制御部２７の制御により、例えば定期的に（あるいは常時）、温度検知手段１３の検知状態、流動検知手段１１の検知状態、表示部２６の表示制御状態、開閉弁１２の動作制御状態等が確認され、各機器の故障などが発生し吐水できない状態であるか否かが確認される。そして、故障などが発生して吐水できない状態にある場合には、制御部２７が、開閉弁１２を強制的に閉状態で維持するように制御し、且つ表示部２６に対し、例えば黄色の光を点滅させて表示するように制御し、使用者がこの異常状態（第１の吐水制御状態）を認識できるようにする。なお、上記異常状態での「点滅」は、図８（ａ）に示すように、ＯＮ／ＯＦＦ制御して発光を制御することを意味する。
【００４４】
また、本実施形態の自動水栓Ａにおいて、自動水栓も手動水栓も使用されていない止水状態の場合には、制御部２７が流動検知手段１１や検知センサ２ａからの検知信号によって止水状態であると判定する。これとともに、制御部２７が、表示部２６に対し、例えば白色の光を点灯させて表示するように制御したり、消灯するように制御し、使用者がこの止水状態（第２の吐水制御状態）を認識できるようにする。
【００４５】
次に、検知センサ２ａが手などの物体を検知したときには、制御部２７に検知信号が送られる。
【００４６】
そして、検知センサ２ａの検知信号を受けるとともに、制御部２７が温度検知手段１３の検知信号を受け、吐水路８内の吐水の温度が予め設定した閾値以上の温度（例えば４５℃）であるか否かを確認する。吐水路８内の吐水の温度が閾値以上の高温である場合には、制御部２７が開閉弁１２を強制的に閉状態で保持するように制御（高温ロック制御）するとともに、表示部２６で例えば赤色の光を点滅させて表示するように制御し、使用者に高温の吐水が内部にある状態（第３の吐水制御状態）を認識できるようにする。
【００４７】
吐水路８内の吐水の温度が閾値よりも低い低温である場合には、この温度検知手段１３の検知信号を受けた制御部２７からの動作指令によって自動吐水流路１０の開閉弁１２が開く。これにより、水栓本体部６から自動吐水流路１０、吐水路８を流通し、吐水部１の吐水口１ａから自動的に吐水される。また、この時、制御部２７が開閉弁１２を開く動作指令を出すとともに、表示部２６に対して、例えば青色や黄色や赤色の色を「点灯」させて表示するように制御し、使用者に自動吐水状態（第４の吐水制御状態）であることを認識できるようにする。
【００４８】
ここで、本実施形態において、自動吐水状態での「点灯」は、一定の輝度で発光を制御することを意味する。また、図７に示すように、本実施形態では、このとき、例えば、制御部２７が、温度検知手段１３の検知信号に基づいて吐水の温度が２８℃以下の場合に「青色」、２８℃〜３８℃の場合に「黄色」、３８℃以上の場合に「赤色」等、温度によって表示部２６で表示する色を変えるように制御する。このように吐水の温度の状態（第５の吐水制御状態）によって適宜表示色を変えることで、使用者が吐水の温度を表示部２６の表示で認識できるようになる。
【００４９】
一方、使用者が手動操作レバー３ａを操作すると、手動吐水流路９に吐水が流れ、これを検知した流動検知手段１１から検知信号が制御部２７に送られる。これにより、自動水栓が手動吐水状態で使用されたことが制御部２７で確認され、これとともに、制御部２７が、開閉弁１２を強制的に閉状態に保持し、さらに表示部２６に対して、例えば青色や黄色や赤色の色を「明滅」させて表示するように制御し、使用者に手動吐水状態（第６の吐水制御状態）であることを認識できるようにする。
【００５０】
ここで、本実施形態において、手動吐水状態での「明滅」は、図８（ｂ）に示すように明るさが徐々に大きくなり、さらに徐々に小さくなる発光状態を繰り返すように制御することを意味する。また、図７に示すように、この手動吐水状態においても、例えば、制御部２７が、温度検知手段１３の検知信号に基づいて吐水の温度が２８℃以下の場合に「青色」、２８℃〜３８℃の場合に「黄色」、３８℃以上の場合に「赤色」等、温度によって表示部２６で表示する色を変えるように制御する。このように吐水の温度の状態によって適宜表示色を変えることで、使用者が吐水の温度を表示部２６の表示で認識できるようにする。
【００５１】
したがって、本実施形態の自動水栓Ａにおいては、使用者が最も視認しやすい吐水部１に、手動吐水状態と自動吐水状態を含む複数の吐水制御状態をそれぞれ異なる表示形態で識別可能に表示する単一の表示部２６がある。これにより、使用者は、各吐水制御状態を容易に且つ確実に識別（判別、認識）することができ、確実に手動吐水状態での止め忘れを防止することが可能になる。
【００５２】
また、例えば、自動吐水状態のときに表示部２６で光が「点灯」し、手動吐水状態のときに表示部２６で光が「明滅」するように構成することで、使用者が自動吐水状態と手動吐水状態をより確実且つ容易に識別することが可能になる。これにより、より確実に手動吐水状態での止め忘れを防止することが可能になる。
【００５３】
さらに、温度検知手段１３によって検知された吐水温度が予め設定した閾値以上である場合に、制御部２７に制御され、自動吐水流路１０の開閉弁１２を閉じ高温吐水制限状態にし、表示部２６によって吐水制御状態が高温吐水制限状態であることを例えば赤色に点滅発光するなどして識別可能に表示する。これにより、使用者が、高温で使用していたことを知らず、又は忘れてしまっていて、高温の吐水が吐水路８や手動吐水流路９、自動吐水流路１０に残っている場合であっても、表示部２６によって吐水制御状態が高温吐水制限状態であり、吐水が高温であるために吐水口１ａから出ない状態に制御されていることを使用者に識別させることができる。
【００５４】
さらに、流動検知手段１１によって手動吐水流路９内での吐水の流れが検知されず、且つ検知センサ部２が検知領域内の物体を検知される場合に、制御部２７の制御によって、自動吐水流路１０の開閉弁１２が開かれ自動的に吐水する自動吐水状態となり、手動操作部３を操作して手動吐水を行い、手動吐水流路９内での吐水の流れが流動検知手段１１で検知された場合に、制御部２７の制御によって、自動吐水流路１０の開閉弁１２が閉じられ手動吐水状態となる。
【００５５】
これにより、流動検知手段１１と開閉弁１２と制御部２７とによって、自動吐水状態と手動吐水状態のいずれの状態にあるかを判定することができ、この判定結果を基に、制御部２７によって表示部２６の表示を制御することで、確実に自動吐水状態と手動吐水状態の吐水制御状態をそれぞれ識別可能に表示部２６で表示させることが可能になる。
【００５６】
よって、本実施形態によれば、自動吐水状態と手動吐水状態などの複数の吐水制御状態をそれぞれ異なる表示形態で識別可能に単一の表示部２６で表示できるようにしたことで、従来と比較し、確実且つ容易に吐水制御状態を識別することが可能になり、使い勝手の良い自動水栓Ａを実現することが可能になる。
【００５７】
以上、本発明に係る自動水栓の一実施形態について説明したが、本発明は上記の一実施形態に限定されるものではなく、その趣旨を逸脱しない範囲で適宜変更可能である。
【００５８】
例えば、図９（ａ）に示すように、吐水部１の吐水口１ａと水栓本体部６とを一つの流路３０で繋ぐとともに、この流路３０に開閉弁１２を設けて構成するようにしてもよい。この場合には、手動操作部３を常開の状態にしておき、検知センサ部２で物体を検知した際に、この検知信号を受けた制御部２７が開閉弁１２を開状態に制御することにより、自動吐水状態にすることができる。また、手動／自動切替スイッチ等を設け、開閉弁１２を使用者が手動操作で開閉できるようにすることで、手動吐水状態で使用することができる。
【００５９】
また、図９（ｂ）に示すように、吐水部１の吐水口１ａと水栓本体部６とを一つの流路３０で繋ぐとともに、水栓本体部６に繋がる給水路４や給湯路５に開閉弁３１、３２を設けて構成するようにしてもよい。この場合においても、手動操作部３を常開の状態にしておき、検知センサ部２で物体を検知した際に、この検知信号を受けた制御部２７が開閉弁３１、３２を開状態に制御することで、自動吐水状態にすることができる。また、手動／自動切替スイッチ等を設け、開閉弁３１、３２を使用者が手動操作で開閉できるようにすることで、手動吐水状態で使用することができる。
【００６０】
さらに、図９（ｃ）に示すように、吐水部１の吐水口１ａと水栓本体部６とを一つの流路３０で繋ぐとともに、この流路３０と水栓本体部６に繋がる給水路４とをバイパス流路３３で繋ぎ、さらにバイパス流路３３に開閉弁３４を設けて構成するようにしてもよい。この場合には、検知センサ部２で物体を検知した際に、この検知信号を受けた制御部２７が開閉弁３４を開状態に制御することで、水のみ自動吐水状態にすることができる。
【００６１】
そして、上記の図９（ａ）〜（ｃ）のように構成した場合であっても、検知センサ部２からの検知信号や、手動／自動切替スイッチ等の操作信号に基づいて制御部２７が表示部２６の表示形態を制御することで、本実施形態と同様の作用効果を得ることが可能になる。
【００６２】
また、本実施形態では、各機器の故障などが発生し吐水できない異常状態、自動水栓も手動水栓も使用されていない止水状態、高温の吐水が内部にある高温ロック状態、自動吐水状態、手動吐水状態の複数の吐水制御状態をそれぞれ、単一の表示部２６によって異なる表示形態で表示し、使用者に認識させるように説明を行った。
【００６３】
これに対し、本発明においては、少なくとも自動吐水状態と手動吐水状態の２つの吐水制御状態を捉え、これら状態を単一の表示部２６によって異なる表示形態で表示できるように構成すればよい。そして、このように自動吐水状態と手動吐水状態を捉えるように構成すれば、本実施形態に示した通りに、確実に手動吐水状態での止め忘れを防止することができる。
【００６４】
また、本実施形態では、表示部２６がヘッド部１６の後端１６ａと支持部１５の先端１５ｂの間に配設されているものとしたが、使用者の視認性を確保することが可能であれば、表示部２６の位置を本実施形態のように限定する必要はない。
【００６５】
さらに、本実施形態では、表示部２６が設けられる吐水部１が支持部１５の先端１５ｂにヘッド部１６を着脱可能に設けて構成され、ヘッド部１６を引き出して使用できる自動水栓Ａを一例として挙げ、説明を行ったが、本発明に係る自動水栓は、ヘッド部１６を支持部１５に一体形成してなる吐水部１を備えて構成されていてもよい。この場合においても、本実施形態と同様の作用効果を得ることが可能である。
【００６６】
また、本実施形態では、水と湯を吐水可能な自動水栓Ａについて説明を行ったが、本発明に係る自動水栓は、勿論、水のみを吐水する自動水栓であってもよい。
【００６７】
また、本実施形態における表示部２６の発光方法（点灯、点滅、明滅）は上記構成以外の方法を採用してもよい。例えば、点滅方式の代わりに点灯（作動中は一定の輝度で発光させる）方式を採用してもよいし、表示部２６の表示色も上記構成に限定されるものではない。
【符号の説明】
【００６８】
１      吐水部
１ａ    吐水口
２      検知センサ部
２ａ    検知センサ
３      手動操作部
３ａ    手動操作レバー
４      給水路
５      給湯路
６      水栓本体部
７      弁カートリッジ
８      吐水路（吐水管、水栓ホース）
９      手動吐水流路（手動吐水管）
１０    自動吐水流路（自動吐水管）
１１    流動検知手段
１２    開閉弁
１３    温度検知手段
１５    支持部
１５ａ  基端
１５ｂ  先端
１６    ヘッド部
１６ａ  後端
１６ｂ  先端
１７    係合凹部
１８    係合凸部
１９    係合凹部
２０    係合凸部
２１    操作部
２２    ヘッド部の外殻体
２５    吐水部本体
２６    表示部
２７    制御部
３０    流路
３１    開閉弁
３２    開閉弁
３３    バイパス流路
３４    開閉弁
Ａ      自動水栓
Ｔ      操作部の回動操作方向
【図１】
2015105514.tif 000003
【図２】
2015105514.tif 000004
【図３】
2015105514.tif 000005
【図４】
2015105514.tif 000006
【図５】
2015105514.tif 000007
【図６】
2015105514.tif 000008
【図７】
2015105514.tif 000009
【図８】
2015105514.tif 000010
【図９】
2015105514.tif 000011